(57)【要約】【課題】オーバーキャップの周壁の一部を押圧部として反転させた際の折れ曲がり位置のバラツキを解消して安定したガス抜き機能を兼ね備えたエアゾール容器用オーバーキャップを提供する。【解決手段】本発明エアゾール容器用オーバーキャップ10は、エアゾール容器50に設けたノズルヘッド51の上部に間隔を隔てて位置する天壁11と、この天壁11と協働してその内側にノズルヘッド51の収納空間Ｒを形成すると共に、その末端を容器50の環状縁部52に着脱可能に係止する周壁13とを備える。周壁13に、当該周壁13に沿って上下二段に伸びる横ラインL1と、当該横ラインL1の端部それぞれを繋ぐ２つの縦ラインL2とで区画され、外部からの押し込みにより収納空間Ｒに向かって反転して、その下端がオーバーキャップの装着状態でノズルヘッド51を継続的に押圧する押圧部１を設け、この押圧部１に、当該押圧部１を二つ折りにして、その反転姿勢を維持する折り曲げラインLoを設ける。【選択図】図５
2007176587.tif 000002
【特許請求の範囲】
【請求項１】
エアゾール容器に設けたノズルヘッドの上部に間隔を隔てて位置する天壁と、この天壁に繋がり当該天壁と協働してその内側に前記ノズルヘッドの収納空間を形成すると共に、その末端をエアゾール容器の環状縁部に着脱可能に係止する周壁とを備えたエアゾール容器用オーバーキャップであって、
前記周壁に、当該周壁に沿って上下二段に伸びる横ラインと、当該横ラインの端部それぞれを繋ぐ２つの縦ラインとで区画され、外部からの押し込みにより前記収納空間に向かって反転して、その下端がオーバーキャップの装着状態で前記ノズルヘッドを継続的に押圧する押圧部を設け、
この押圧部に、当該押圧部を二つ折りにして、その反転姿勢を維持する折り曲げラインを設けたことを特徴とするエアゾール容器用オーバーキャップ。
【請求項２】
請求項１において、前記折り曲げラインは、前記縦ライン間の中心位置に設けられたことを特徴とするエアゾール容器用オーバーキャップ。
【発明の詳細な説明】
【技術分野】
【０００１】
本発明は、本発明は、エアゾール容器のガス抜き機能を兼ねたエアゾール容器用オーバーキャップに関するものである。
【背景技術】
【０００２】
エアゾール容器は、ノズルヘッドの押圧により充填ガスと共に内容物を噴射するが、ガス抜きが完全でない場合、廃棄時において暴発する虞があるという問題がある。そのため、容器内に残留した充填ガスを完全に放出させるべく、エアゾール容器用キャップの周壁の一部を、上下二段の横スリットと、当該横スリットの端部それぞれを繋ぐ２つの縦ラインとにより区画して帯状の押圧部を形成し、この帯状の押圧部をキャップ内側に反転させて、その下端でノズルヘッドを継続的に押圧するものがある（例えば、特許文献１参照。）。
【特許文献１】特許第３７０５９０６号公報
【発明の開示】
【発明が解決しようとする課題】
【０００３】
しかし、上記従来技術は、その押圧部が縦ラインを起点に反転するものの、反転時の折れ曲がり位置が必ずしも一定ではなく、その下端がオーバーキャップの装着状態でノズルヘッドを押圧できる位置にバラツキが生じることがある。
【０００４】
本発明は、こうした事実に鑑みてなされたものであり、その解決すべき課題は、オーバーキャップの周壁の一部を押圧部として反転させた際の折れ曲がり位置のバラツキを解消して安定したガス抜き機能を兼ね備えたエアゾール容器用オーバーキャップを提供することにある。
【課題を解決するための手段】
【０００５】
本発明は、エアゾール容器に設けたノズルヘッドの上部に間隔を隔てて位置する天壁と、この天壁に繋がり当該天壁と協働してその内側に前記ノズルヘッドの収納空間を形成すると共に、その末端をエアゾール容器の環状縁部に着脱可能に係止する周壁とを備えたエアゾール容器用オーバーキャップであって、前記周壁に、当該周壁に沿って上下二段に伸びる横ラインと、当該横ラインの端部それぞれを繋ぐ２つの縦ラインとで区画され、外部からの押し込みにより前記収納空間に向かって反転して、その下端がオーバーキャップの装着状態で前記ノズルヘッドを継続的に押圧する押圧部を設け、この押圧部に、当該押圧部を二つ折りにして、その反転姿勢を維持する折り曲げラインを設けたことを特徴とするものである。
【０００６】
本発明において、前記折り曲げラインは、前記縦ライン間の中心位置に設けることが好ましい。
【発明の効果】
【０００７】
本発明において、オーバーキャップの周壁の一部を押圧部として反転させる際、当該押圧部は、予め設定した折り曲げラインを起点に二つ折りになり、所望の折れ曲がり位置のままでの反転姿勢を維持する。従って、本発明によれば、押圧部での折れ曲がり位置にバラツキを生じることなく、安定したガス抜きを実現することができる。
【発明を実施するための最良の形態】
【０００８】
以下、図面を参照して本発明の一形態を詳細に説明する。
【０００９】
本発明の一形態であるオーバーキャップ10は、図１に示すように、エアゾール容器50（図５参照。）に設けたノズルヘッド51の上部に間隔を隔てて位置する天壁11と、この天壁11の縁部と繋がる傾斜壁12を介して一体に繋がる周壁13とを備える。
【００１０】
周壁13の末端付近の内側には、図１，２(b)に示すように、全周に亘って形成された第一アンダーカット部13aと、周方向に沿って所定の間隔で形成された第二アンダーカット部13bとを備え、図５に示すように、エアゾール容器50の環状縁部52に着脱可能に係止される。これにより、環状縁部52に装着されたキャップ10は、その内側にノズルヘッド51の収納空間Ｒを形成する。
【００１１】
周壁13には、図１に示すように、その表裏面を貫通して周方向に沿って伸びる上下二段の横ラインＬ1が形成されている。また、周壁13には更に、横ラインＬ1の互いに向かい合う端部それぞれを縦方向に繋ぐ２つの薄肉の縦ラインＬ2が形成されている。これにより、周壁13には、横ラインＬ1及び縦ラインＬ2で区画された押圧部１が一体に形成される。
【００１２】
なお、本形態に係る横ラインＬ1は、周壁13の表裏面を貫通するスリットのみであるが、図１(ｃ)に示すように、横ラインＬ1の隙間を切り離し可能なブリッジ片２で間欠的に繋いでもよい。この場合、搬送時や陳列等において、押圧部１を誤って反転させてしまうことを防止することができる。更に、横ラインＬ1は、切り離し可能な薄肉の弱化部で構成してもよい。
【００１３】
押圧部１の外表面には、２つの縦ラインＬ2間の中心位置に、この押圧部１を二つ折りにするための起点となる薄肉の弱化部と形成された折り曲げラインＬoが設けられている。これにより、押圧部１を外部からの収納空間Ｒ内に押し込むと、押圧部１は、図３〜５に示すように、縦ラインＬ1を起点により収納空間Ｒに向かって反転すると共に、折り曲げラインＬoを起点に２つの部位1aに折れ曲がり、予め設定した所望の折れ曲がり位置のままでの反転姿勢を維持する。
【００１４】
このため、オーバーキャップ10の装着時において、押圧部１の下端がノズルヘッド51の頂部51aよりも低い位置になるように、下段側の横ラインＬ1を設定すれば、オーバーキャップ10をエアゾール容器に装着する間は、図５に示すように、押圧部１の下端1eのうち、少なくとも折り曲げラインＬoの領域部分Ａがノズルヘッド51を継続的に押圧し、エアゾール容器50内に残留したガスを開口部Ｈを通して抜くことができる。従って、本形態によれば、押圧部１での折れ曲がり位置にバラツキを生じることなく、安定したガス抜きを実現することができる。
【００１５】
また、本形態では、周壁12の両側に押圧部１を設け、ノズル孔53から収納空間Ｒに噴射されたガスを２つの開口部Ｈから抜いているが、押圧部１は周壁12の少なくとも一箇所に設ければよい。但し、本形態のように、周壁13の周方向に沿って180°対向する位置に設ければ、使用者が片手で摘むだけで２つの押圧部１を反転させることができるため、使い勝手がよい。
【００１６】
折り曲げラインＬoを、２つの縦ラインＬ2間の中心位置に設けているため、反転後の折れ曲がりラインＬoの位置は、図３の二点鎖線に示すように、最もキャップ軸線Ｏに近づくことになる。かかる構成によれば、本形態のようにノズルヘッド51の頂部51aの一部が傾斜している場合であっても、ノズルヘッド51を押圧することができる。なお、折り曲げラインＬoは、２つの縦ラインＬ2間の中心位置に設けることが好ましいが、ノズルヘッド51の形状やノズルヘッド51とエアゾール容器50を繋ぐステム53等に応じて縦ラインＬ2間のいずれの位置にも変更可能である。
【００１７】
上述したところは、本発明の好適な形態を示したものであるが、請求の範囲内において、種々の変更を加えることができる。例えば、上述の形態に係る周壁13は、その側面形状が末端に向かって傾斜する構成であるが、その末端に向かって垂直に伸びる形状であってもよい。また、本形態に係る横ラインＬ1は、上段に比べて下段の横ラインの幅が広いが、幅についての関係は、同一幅又は上下段の幅を逆転させてもよい。
【００１８】
更に、上記形態は、横ラインＬ1に沿って反転するが、本発明は、縦ラインＬ2をスリット又は破断可能な薄肉の弱化部に構成する一方、横ラインＬ1を薄肉部に構成してもよい。この場合、折り曲げラインＬoは、周壁12に対して周方向に沿ったものとなる。
【産業上の利用可能性】
【００１９】
エアゾール容器の内容物は、整髪料、塗料及び衣料用糊付け剤等、特に限定を付されるものではない。
【図面の簡単な説明】
【００２０】
【図１】(a)〜(c)はそれぞれ、本発明の一形態であるオーバーキャップを示す斜視図、その左側面を断面とした要部断面図及び、同形態の変形例を説明する拡大斜視図である。
【図２】(a),(b)はそれぞれ、同形態のオーバーキャップの上面図及び底面図である。
【図３】同形態の反転後の状態を示すＸ−Ｘ断面図である。
【図４】同形態の反転後の状態を示す斜視図である。
【図５】同形態を用いた、エアゾール容器からのガス抜きを説明する要部断面図である。
【符号の説明】
【００２１】
１  押圧部
２  ブリッジ片
10  オーバーキャップ
11  天壁
13  周壁
50  エアゾール容器
51  ノズルヘッド
52  環状縁部
Ｌo 折り曲げライン
Ｌ1 横ライン
Ｌ2 縦ライン
Ｒ  収納空間
【図１】
2007176587.tif 000003
【図２】
2007176587.tif 000004
【図３】
2007176587.tif 000005
【図４】
2007176587.tif 000006
【図５】
2007176587.tif 000007